(57)【特許請求の範囲】
【請求項１】
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、
前記高温暖房端末で放熱した後の熱媒の温度を検出する高温暖房端末出温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記高温暖房運転を実行している状態で前記低温暖房運転を実行するときには、前記高温暖房端末での熱量を不足させない状態で、前記バイパス流量調整手段は、所定の第１判定閾値に比べて前記高温暖房端末出温度検出手段の検出温度が低いほど、前記バイパス流量を低下側へ制御する風呂装置。
【請求項２】
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、
前記高温暖房端末で放熱する前の熱媒の温度を検出する高温暖房端末入温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記高温暖房運転を実行している状態で前記低温暖房運転を実行するときには、前記高温暖房端末での熱量を不足させない状態で、前記バイパス流量調整手段は、所定の第２判定閾値に比べて前記高温暖房端末入温度検出手段の検出温度が低いほど、前記バイパス流量を低下側へ制御する風呂装置。
【請求項３】
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、
前記第２熱交換器で放熱した後の熱媒の温度を検出する第２熱交換器出温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記追焚き運転を実行している状態で前記低温暖房運転を実行するときには、前記第２熱交換器での熱量を不足させない状態で、前記バイパス流量調整手段は、所定の第３判定閾値に比べて前記第２熱交換器出温度検出手段の検出温度が低いほど、前記バイパス流量を低下側へ制御する風呂装置。
【請求項４】
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、
前記第２熱交換器で放熱する前の熱媒の温度を検出する第２熱交換器入温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記追焚き運転を実行している状態で前記低温暖房運転を実行するときには、前記第２熱交換器での熱量を不足させない状態で、前記バイパス流量調整手段は、所定の第４判定閾値に比べて前記第２熱交換器入温度検出手段の検出温度が低いほど、前記バイパス流量を低下側へ制御する風呂装置。 
【発明の詳細な説明】
【技術分野】
【０００１】
本発明は、熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、前記燃焼式加熱装置の作動状態で、前記追焚き循環回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置に関する。
【背景技術】
【０００２】
従来、上述したような風呂装置において、追焚き運転と、高温暖房運転と、低温暖房運転とを各別に実行する運転制御を行うものが知られている（特許文献１を参照）。
当該特許文献１に開示の技術にあっては、追焚き運転のみを実行する場合には、燃焼式加熱装置の加熱により第１熱交換器にて追焚き運転に要求される所定の温度（例えば、８０℃）に調整された状態の熱媒すべてを第２熱交換器（追焚き熱交換器）へ導く制御が実行され、高温暖房運転のみを実行する場合には、燃焼式加熱装置の加熱により第１熱交換器にて高温暖房運転に要求される所定の温度（例えば、８０℃）に調整された状態の熱媒すべてを高温暖房端末へ導く制御が実行され、低温暖房運転のみを実行する場合には、燃焼式加熱装置の加熱により第１熱交換器にて低温暖房運転に要求される所定の温度（例えば、６０℃）に調整された状態の熱媒すべてを低温暖房端末へ導く制御が実行される構成が採用されている。
【先行技術文献】
【特許文献】
【０００３】
【特許文献１】特開２０１３−２５７０９１号公報
【発明の概要】
【発明が解決しようとする課題】
【０００４】
しかしながら、上記特許文献１に開示の技術では、特に、比較的高温（例えば、８０℃）の熱媒を必要とする高温暖房運転と追焚き運転の少なくとも何れか一方が実行されている状態で、比較的低温（例えば、６０℃）の熱媒を必要とする低温暖房運転を実行するときに、高温暖房運転と追焚き運転と低温暖房運転とを、どのような優先関係で運転するか、即ち、どのような優先関係に基づいてバイパス流量を調整するかについては開示がなく、特に、高温の熱媒を必要とし、供給熱量が不足した場合に使用者の使用感を大きく損ねる虞がある高温暖房運転及び追焚運転を、使用者の使用感を損ねない状態で適切に実行することができない虞があった。
また、本発明のような間接加熱式の風呂装置で追焚き運転を実行する場合、図３に示すように、追焚き運転中で、燃焼式加熱装置による加熱開始時点（図３でガス入力の開始される時点）の後において、第２熱交換器（追焚き熱交換器）での熱交換熱量の立ち上がりが、第１熱交換器（顕熱熱交換器）の熱交換熱量の立ち上がりに比べて遅くなるという問題があった。
【０００５】
本発明は、上述の課題に鑑みてなされたものであり、その目的は、第２熱交換器（追焚き熱交換器）と高温暖房端末とをバイパスするバイパス流路を通流する熱媒の流量を調整するバイパス流量調整手段を備えると共に、バイパス流路を介して熱媒を低温暖房端末へ導く低温暖房回路を備えた構成において、比較的高温の熱媒を必要とする追焚き運転及び高温暖房運転を実行しているときに、高温暖房運転と追焚き運転と低温暖房運転とを優先関係に基づいてバイパス流量を積極的に制御することで、使用者の使用感を損ねる虞がなく、且つ、追焚き運転時の第２熱交換器（追焚き熱交換器）での熱交換熱量の立ち上がりを改善し得る風呂装置を提供する点にある。
【課題を解決するための手段】
【０００６】
上記目的を達成するための風呂装置は、
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、その特徴構成は、
前記高温暖房端末で放熱した後の熱媒の温度を検出する高温暖房端末出温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記高温暖房運転を実行している状態で前記低温暖房運転を実行するときには、前記高温暖房端末での熱量を不足させない状態で、前記バイパス流量調整手段は、所定の第１判定閾値に比べて前記高温暖房端末出温度検出手段の検出温度が低いほど、前記バイパス流量を低下側へ制御する点にある。 
【０００７】
上記特徴構成によれば、比較的高温の熱媒を必要とする追焚き運転と高温暖房運転の少なくとも何れか一方を実行している状態で低温暖房運転を実行しないときには、バイパス流量を零に制御することで、第１熱交換器にて昇温された熱媒のすべてを、追焚き運転と高温暖房運転のうち実行状態にある運転に対応する第２熱交換器及び高温暖房端末へ導いて、比較的高温の熱媒を必要とする追焚き運転と高温暖房運転とを確実に実行できる。
一方で、比較的高温の熱媒を必要とする高温暖房運転を実行している状態で低温暖房運転を実行するときには、高温暖房端末での熱量を不足させない状態で、バイパス流量調整手段は、所定の第１判定閾値に比べて高温暖房端末出温度検出手段の検出温度が低いほど、バイパス流量を低下側へ制御するから、熱量が不足したときに使用者の使用感が低下する可能性の高い高温暖房運転を優先的に実行しながらも、余剰の熱量を、熱量が不足したときに使用者の使用感が低下する可能性の低い低温暖房運転にて使用して、低温暖房運転をも実行することができる。
また、上述の制御を実行することにより、追焚き運転時の第２熱交換器での熱交換熱量の立ち上がりを改善することができる。 
【０００９】
更に、上記特徴構成によれば、高温暖房運転が実行されているか否かのみならず、高温暖房端末での熱供給状態に応じてバイパス流量を制御できる。
更に、高温暖房運転を実行している状態で低温暖房運転を実行するときには、バイパス流量調整手段は、所定の第１判定閾値に比べて高温暖房端末出温度検出手段の検出温度が低いほどバイパス流量を低下側へ制御するから、高温暖房端末での熱供給が不足しているほど、バイパス流量を低下させる形態で、高温暖房端末への熱供給量を増やすことができ、高温暖房運転中における使用者の使用感を高いものに維持しながらも、高温暖房運転と低温暖房運転とを適切なバランスを保ちながら実行することができる。
尚、当該特徴構成において、「所定の第１判定閾値」とは、通常高温暖房運転を定格で熱不足なく運転している場合に、高温暖房端末から出る熱媒の温度を意味するものであり、例えば、５５℃として、予め決定され記憶部に記憶されているものとする。  
【００１０】
上記目的を達成するための風呂装置は、
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、その特徴構成は、
前記高温暖房端末で放熱する前の熱媒の温度を検出する高温暖房端末入温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記高温暖房運転を実行している状態で前記低温暖房運転を実行するときには、前記高温暖房端末での熱量を不足させない状態で、前記バイパス流量調整手段は、所定の第２判定閾値に比べて前記高温暖房端末入温度検出手段の検出温度が低いほど、前記バイパス流量を低下側へ制御する点にある。
ここで、当該特徴構成において、「所定の第２判定閾値」とは、高温暖房運転にて、熱不足が発生していることを判定するための閾値であり、例えば、７０℃として、予め決定された記憶部に記憶されているものとする。
【００１１】
上記目的を達成するための風呂装置は、
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、その特徴構成は、
前記第２熱交換器で放熱した後の熱媒の温度を検出する第２熱交換器出温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記追焚き運転を実行している状態で前記低温暖房運転を実行するときには、前記第２熱交換器での熱量を不足させない状態で、前記バイパス流量調整手段は、所定の第３判定閾値に比べて前記第２熱交換器出温度検出手段の検出温度が低いほど、前記バイパス流量を低下側へ制御する点にある。
【００１２】
上記特徴構成によれば、追焚き運転が実行されているか否かのみならず、第２熱交換器での熱供給状態に基づいて、バイパス流量を制御できる。
更に、追焚き運転を実行している状態で低温暖房運転を実行するときには、バイパス流量調整手段は、所定の第３判定閾値に比べて第２熱交換器出温度検出手段の検出温度が低いほど、バイパス流量を低下側へ制御するから、第２熱交換器での熱供給が不足しているほどバイパス流量を低下させる形態で、第２熱交換器への熱供給量を増やすことができ、追焚き運転中における使用者の使用感を高いものに維持しながらも、追焚き運転と低温暖房運転とを適切なバランスを保ちながら実行することができる。
尚、本発明において、「所定の第３判定閾値」とは、通常、追焚き運転を定格で熱不足なく運転している場合に、第２熱交換器から出る熱媒の温度を意味する温度として、予め決定され記憶部に記憶されているものとする。 
【００１３】
上記目的を達成するための風呂装置は、
熱媒加熱用の燃焼式加熱装置と、前記燃焼式加熱装置の燃焼により前記熱媒を加熱する第１熱交換器と、浴槽内の浴槽水が循環される浴槽水循環回路と、前記第１熱交換器で加熱された熱媒と前記浴槽水循環回路を通流する浴槽水とを熱交換させて前記浴槽水を加熱する第２熱交換器と、前記第１熱交換器で加熱された熱媒のうち高温の熱を放熱する高温暖房端末と、前記第１熱交換器で加熱された熱媒のうち低温の熱を放熱する低温暖房端末と、前記第１熱交換器と前記第２熱交換器との間で熱媒を循環させる追焚き回路と、前記第１熱交換器と前記高温暖房端末との間で熱媒を循環させる高温暖房回路と、前記第１熱交換器からの熱媒を前記第２熱交換器及び前記高温暖房端末をバイパスさせるバイパス流路と、当該バイパス流路を介して熱媒を前記低温暖房端末に導く低温暖房回路と、前記バイパス流路を通流する熱媒のバイパス流量を調整するバイパス流量調整手段とを備え、
前記燃焼式加熱装置の作動状態で、前記追焚き回路に熱媒を循環させると共に前記浴槽水循環回路に浴槽水を循環させて浴槽水を追焚きする追焚き運転と、前記高温暖房回路に熱媒を循環させる形態で前記高温暖房端末に熱媒を通流させて高温暖房を実行する高温暖房運転と、前記低温暖房回路に熱媒を通流させる形態で前記低温暖房端末に熱媒を通流させて低温暖房を実行する低温暖房運転とを実行可能に構成されている風呂装置であって、その特徴構成は、
前記第２熱交換器で放熱する前の熱媒の温度を検出する第２熱交換器入温度検出手段を備え、
前記バイパス流量調整手段は、前記燃焼式加熱装置の作動状態において、前記追焚き運転と前記高温暖房運転の少なくとも何れか一方を実行している状態で前記低温暖房運転を実行しないときには前記バイパス流量調整手段が前記バイパス流量を零に制御すると共に、
前記追焚き運転を実行している状態で前記低温暖房運転を実行するときには、前記第２熱交換器での熱量を不足させない状態で、前記バイパス流量調整手段は、所定の第４判定閾値に比べて前記第２熱交換器入温度検出手段の検出温度が低いほど、前記バイパス流量を低下側へ制御する点にある。
ここで、当該特徴構成において、「所定の第４判定閾値」とは、追焚き運転にて、熱不足が発生していることを判定するための閾値であり、例えば、７０℃として、予め決定され記憶部に記憶されているものとする。 
【図面の簡単な説明】
【００１４】
【図１】本発明の風呂装置の概略構成図
【図２】追焚き運転、低温暖房運転、高温暖房運転の並列運転に係るフロー図
【図３】追焚き運転時におけるガス入力、熱交換器での出力、及び瞬時効率を示すグラフ図
【発明を実施するための形態】
【００１５】
本発明は、所謂、間接加熱方式の風呂装置において、特に、高温暖房運転と追焚き運転と低温暖房運転とを優先関係に基づいてバイパス流量を積極的に制御することで、使用者の使用感を損ねる虞がなく、且つ、追焚き運転時の追焚き熱交換器ＥＸ５（第２熱交換器の一例）での熱交換熱量の立ち上がりを改善し得る風呂装置に関する。以下、本発明の実施形態を図面に基づいて説明する。
風呂装置１００は、暖房端末ＨＵ、ＬＵに熱を供給すると共に浴槽１０及び給湯栓３３に温度調整した湯水を供給すべく、熱媒及び湯水を供給可能な熱源機Ｇと、当該熱源機Ｇの運転を制御する運転制御部Ｃと、その運転制御部Ｃに各種運転指令を指令するメインリモコンＲ１及び浴室リモコンＲ２とを備えて構成されている。
ちなみに、メインリモコンＲ１は炊事場の近傍に設置され、浴室リモコンＲ２は浴槽１０が設置された浴室内に設けられている。
【００１６】
〔熱源機に係る構成〕
図１に示すように、熱源機Ｇは、ケーシング５１により外囲されるものであり、一般家庭用の水道管に接続された給水路Ｌ２からの水をガス燃焼式の給湯用バーナｇ１により加熱して、加熱後の湯水を給湯栓３３や浴槽１０へ供給する給湯用加熱部Ｈ１と、ガス燃焼式の熱媒加熱用バーナｇ２により高温暖房端末ＨＵ、及び低温暖房端末ＬＵへ循環供給する熱媒や浴槽１０の内部に貯留される浴槽水を追焚きする熱媒を加熱する熱媒加熱部Ｈ２（燃焼式加熱装置の一例）とを備えて構成されている。ちなみに、高温暖房端末ＨＵとしては浴室暖房乾燥機が、低温暖房端末ＬＵとしては床暖房装置が設けられている。
【００１７】
図１に示すように、給湯用加熱部Ｈ１に備えられる給湯用バーナｇ１には、一般家庭用の燃料ガス（例えば、都市ガス１３Ａ）を供給する第１ガス供給路２１ａが接続されており、熱媒加熱部Ｈ２に備えられる熱媒加熱用バーナｇ２にも、燃料ガスを供給する第２ガス供給路２１ｂが接続されている。第１ガス供給路２１ａ及び第２ガス供給路２１ｂの夫々には、図１に示すように、燃料ガスの供給を断続する開閉弁Ｖ１、Ｖ３と、燃料ガス供給量を調整する電磁式のガス比例弁Ｖ２、Ｖ４が夫々設けられている。また、給湯用加熱部Ｈ１及び熱媒加熱部Ｈ２には、給湯用バーナｇ１及び熱媒加熱用バーナｇ２の夫々に、燃焼用空気を供給する燃焼用ファン１２ａ、１２ｂが設けられている。
尚、図示は省略するが、給湯用バーナｇ１及び熱媒加熱用バーナｇ２の近傍には、点火用のイグナイタ及び着火を検出するフレームロッドが設けられている。
給湯用加熱部Ｈ１及び熱媒加熱部Ｈ２には、図１に示すように、バーナｇ１、ｇ２の燃焼排ガスの顕熱を主に回収する主熱交換器ＥＸ１、ＥＸ３と、潜熱を主に回収する副熱交換器ＥＸ２、ＥＸ４とを備えて構成されている。ここで、主熱交換器ＥＸ１、ＥＸ３と副熱交換器ＥＸ２、ＥＸ４とは、給湯用バーナｇ１及び熱媒加熱用バーナｇ２から排気路２２へ向かう燃焼排ガスの流動方向において、副熱交換器ＥＸ２、ＥＸ４が主熱交換器ＥＸ１、ＥＸ３よりも下流側に位置する状態で配設されている。尚、本発明にあっては、熱媒加熱部Ｈ２に設けられる主熱交換器ＥＸ３と副熱交換器ＥＸ４とが第１熱交換器として機能する。
これにより、給湯用加熱部Ｈ１においては、湯水が、副熱交換器ＥＸ２にて主として給湯用バーナｇ１の燃焼排ガスの潜熱により加熱された後、主熱交換器ＥＸ１にて主として給湯用バーナｇ１の燃焼排ガスの顕熱により加熱される。また、熱媒加熱部Ｈ２においては、熱媒が、副熱交換器ＥＸ４にて主として熱媒加熱用バーナｇ２の燃焼排ガスの潜熱により加熱された後、主熱交換器ＥＸ３にて主として熱媒加熱用バーナｇ２の燃焼排ガスの顕熱により加熱される。
【００１８】
給湯用加熱部Ｈ１の副熱交換器ＥＸ２及び熱媒加熱部Ｈ２の副熱交換器ＥＸ４からは、燃焼生成水である酸性の凝縮水、即ち、ドレンが生成するが、当該ドレンはドレンパン２３に集められ中和器２４にて中和された後、ドレンタンク２５に貯留されるように構成されている。ドレンタンク２５には、ドレンの貯留量が上限貯留量以上であることを検出するドレンセンサＳ１が設けられおり、当該ドレンセンサＳ１にてドレンの貯留量が上限貯留量以上であることが検出されると、ドレン排水ポンプＰ３が作動し、ドレンタンク２５に貯留されているドレンが、排水管Ｌ１の排出口１２を介して、浴室の床面に設けられた排水口１３から外部に排出されるように構成されている。ちなみに、排水管Ｌ１のうち熱源機Ｇの外部（ケーシング５１の外側）に位置する部分は、後述する浴槽戻り路Ｌ７のうち、熱源機Ｇの外側に配設される浴槽戻り外管Ｌ７ｂの内部に配設されている。
【００１９】
〔給湯に係る構成〕
給水路Ｌ２が、給湯用加熱部Ｈ１の副熱交換器ＥＸ２の入口に接続され、一端に給湯栓３３を有する給湯路Ｌ４の他端が、給湯用加熱部Ｈ１における主熱交換器ＥＸ１の出口に接続されている。これにより、給水路Ｌ２から供給される湯水は、副熱交換器ＥＸ２及び主熱交換器ＥＸ１にて順に加熱された後、給湯路Ｌ４を介して給湯栓３３から供給される。
【００２０】
給水路Ｌ２には、給水温度を検出する給水サーミスタＳ７と給水流量を検出する流量センサＳ８とが設けられ、給水路Ｌ２における給水サーミスタＳ７及び流量センサＳ８よりも下流側の箇所が、主熱交換器ＥＸ１及び副熱交換器ＥＸ２を迂回する給水バイパス路Ｌ３にて、給湯路Ｌ４に接続されている。
給湯路Ｌ４には、給水バイパス路Ｌ３の接続箇所よりも上流側に、主熱交換器ＥＸ１からの湯水温度を検出する出湯サーミスタＳ４が設けられ、給湯路Ｌ４における給水バイパス路Ｌ３の接続箇所よりも下流側には、上流側から順に、給湯としての湯水温度を検出する給湯サーミスタＳ６、湯水流量を調整可能な比例弁Ｖ９、一般給湯の割り込みを検出する割り込み検出用水量センサＳ９が設けられている。
また、給湯路Ｌ４と給水バイパス路Ｌ３との接続箇所には、主熱交換器ＥＸ１からの湯水流量と給水バイパス路Ｌ３からの湯水流量との混合比を調整可能なミキシング弁Ｖ１１が設けられている。
以上より、各サーミスタ及び流量センサの出力に基づいて、給水バイパス路Ｌ３を通流する流量が調整される形態で、給湯温度がメインリモコンＲ１にて設定される目標給湯温度に調整され、給湯栓３３から給湯される。
【００２１】
〔熱媒循環に係る構成〕
熱媒循環回路は、熱媒加熱部Ｈ２の主熱交換器ＥＸ３の出口から流出した熱媒を、熱媒と浴槽１０に貯留される浴槽水とを熱交換する追焚き熱交換器ＥＸ５（第２熱交換器の一例）に通過させ熱媒加熱部Ｈ２の副熱交換器ＥＸ４の入口へ戻す追焚き回路Ｃ１と、熱媒加熱部Ｈ２の主熱交換器ＥＸ３の出口から流出した熱媒を高温暖房端末ＨＵを通過させ熱媒加熱部Ｈ２の副熱交換器ＥＸ４の入口へ戻す高温暖房回路Ｃ２と、熱媒加熱部Ｈ２の主熱交換器ＥＸ３の出口から流出した熱媒を追焚き熱交換器ＥＸ５と高温暖房端末ＨＵとをバイパス状態で熱媒加熱部Ｈ２の副熱交換器ＥＸ４の出口へ導く熱媒バイパス路Ｌ９と、熱媒加熱部Ｈ２の主熱交換器ＥＸ３の出口から流出した熱媒を熱媒バイパス路Ｌ９を介して低温暖房端末ＬＵを通過させ熱媒加熱部Ｈ２の副熱交換器ＥＸ４の入口へ戻す低温暖房回路Ｃ３とを備えている。
尚、熱媒循環回路には、追焚き熱交換器ＥＸ５を通過直後の熱媒の温度を測定する第２熱媒サーミスタＳ１１（第２熱交換器出温度検出手段の一例）を備えている。
熱媒バイパス路Ｌ９には、熱媒のバイパス流量を調整可能なバイパス用熱動弁Ｖ１２が設けられ、追焚き回路Ｃ１には、追焚き熱交換器ＥＸ５を通過する熱媒流量を調整可能な追焚き用熱動弁Ｖ８が設けられ、高温暖房回路Ｃ２には、高温暖房端末ＨＵを通過する熱媒流量を調整可能な高温暖房用熱動弁Ｖ１０が設けられ、低温暖房回路Ｃ３には、低温暖房端末ＬＵを通過する熱媒流量を調整可能な低温暖房用熱動弁Ｖ１３が設けられている。
また、熱媒加熱部Ｈ２の副熱交換器ＥＸ４の出口と主熱交換器ＥＸ３の入口との間には、熱媒を副熱交換器ＥＸ４から主熱交換器ＥＸ３の側へ圧送する熱媒循環ポンプＰ２が設けられている。
更に、熱媒加熱部Ｈ２の主熱交換器ＥＸ３の出口には、当該出口から流出する湯水温度を検出する第１熱媒サーミスタＳ３が設けられると共に、図示は省略するが低温暖房端末ＬＵ及び高温暖房端末ＨＵの内部には、自身を通過した熱媒の温度を検出する高温暖房入サーミスタ（高温暖房端末出温度検出手段の一例）及び低温暖房サーミスタが夫々備えられている。
尚、熱媒加熱部Ｈ２の副熱交換器ＥＸ４への入口には、熱媒の膨張を吸収可能な膨張タンク５０が設けられている。
【００２２】
〔追焚きに係る構成〕
追焚き熱交換器ＥＸ５の湯水出口と浴槽１０の側壁部下方側に装着された循環アダプタ１１とが、浴槽往き路Ｌ８にて接続され、循環アダプタ１１と追焚き熱交換器ＥＸ５の湯水入口とが、浴槽戻り路Ｌ７にて接続され、その浴槽戻り路Ｌ７に、浴槽１０の湯水を吸引して追焚き熱交換器ＥＸ５へ送出する浴槽水循環ポンプＰ１が設けられている。
説明を追加すると、浴槽往き路Ｌ８が、熱源機Ｇの内部に位置する浴槽往き内管Ｌ８ａと、熱源機Ｇから外部へ延出されて、循環アダプタ１１の往き用接続部１１ａに接続される浴槽往き外管Ｌ８ｂとから構成され、また、浴槽戻り路Ｌ７が、熱源機Ｇの内部に位置する浴槽戻り内管Ｌ７ａと、熱源機Ｇから外部へ延出されて、循環アダプタ１１の戻り用接続部１１ｂに接続される浴槽戻り外管Ｌ７ｂとから構成されている。
浴槽戻り路Ｌ７には、上流側から順に、浴槽戻り路Ｌ７の内部の湯水の圧力を検出することによって浴槽１０内の水位を検出する水位センサＳ１０、浴槽１０から戻る浴槽水の温度を検出する浴槽戻りサーミスタＳ２、浴槽戻り路Ｌ７を開閉する電磁式の開閉弁Ｖ７、上述した浴槽水循環ポンプＰ１、及び水流スイッチ４１が設けられている。
また、浴槽往き路Ｌ８には、浴槽１０に供給される湯水の温度を検出する浴槽往きサーミスタＳ５が設けられている。
【００２３】
〔湯張りに係る構成〕
給湯路Ｌ４における比例弁Ｖ９と割り込み検出用水量センサＳ９との間の箇所から、給湯路Ｌ４からの湯水を浴槽１０へ供給するための湯張り路Ｌ５が分岐されて、その湯張り路Ｌ５が、浴槽戻り路Ｌ７における浴槽水循環ポンプＰ１と水流スイッチ４１との間に接続されている。当該湯張り路Ｌ５には、上流側から順に、湯張り路Ｌ５を開閉する電磁式の開閉弁Ｖ５と、湯張り路Ｌ５に連通する空気層形成用ホッパ４０と、逆止弁４２とが設けられている。
空気層形成用ホッパ４０には、湯水を排水する排水路Ｌ６と、当該排水路Ｌ６を開閉する電磁式の排水弁Ｖ６とが設けられ、排水路Ｌ６の下流側端部が浴槽戻り路Ｌ７における開閉弁Ｖ７と浴槽水循環ポンプＰ１との間に接続されている。
従って、開閉弁Ｖ５を開弁すると、給湯用加熱部Ｈ１にて加熱され湯張り路Ｌ５を介して供給される湯水が、浴槽戻り路Ｌ７に供給され、浴槽戻り路Ｌ７に供給された湯水が浴槽１０側と追焚き熱交換器ＥＸ５側の両側に向けて分流する形態で供給されることになる。即ち、湯張り路Ｌ５を介して供給される湯水は、浴槽往き路Ｌ８及び浴槽戻り路Ｌ７の両方を介して浴槽１０に供給される。
【００２４】
〔熱源機の運転制御〕
熱源機Ｇは、上述した機器類を装備するものであって、上述の説明から明らかなように、加熱した湯水を給湯栓３３に供給する給湯処理、加熱した湯水を浴槽１０へ供給する湯張り処理、加熱した熱媒を暖房端末ＨＵ、ＬＵへ循環供給する端末加熱処理、及び浴槽１０内の浴槽水を加熱する追焚き処理、並びにドレン排水処理を行うように構成されている。
【００２５】
即ち、運転制御部Ｃが、後述する如く、メインリモコンＲ１や浴室リモコンＲ２の指令情報、及びケーシング５１の内部に装備したセンサ類の検出情報に基づいて、ケーシング５１の内部に装備した機器類を作動させて、給湯処理に対応する給湯運転、湯張り処理に対応する自動湯張り運転、自動湯張り運転に続いて行う保温運転、浴槽１０に追加で湯張り給湯する足し湯運転、端末加熱処理に対応する暖房運転、及び追焚き処理に対応する追焚き運転、並びに、ドレン排水処理に対応するドレン排水運転を実行するように構成されている。
【００２６】
〔リモコンに係る構成〕
メインリモコンＲ１及び浴室リモコンＲ２は、同様に構成されるものであり、以下、メインリモコンＲ１を代表にして説明する。
図１に示すように、メインリモコンＲ１には、運転の開始と停止を指令する運転スイッチＳｗ１、自動湯張り運転指令を指令する風呂自動スイッチＳｗ２、給湯温度を設定する給湯温度設定スイッチＳｗ３、設定湯張り温度としての目標湯張り温度を設定する浴槽温度設定スイッチＳｗ４、浴槽１０の浴槽水の目標水位を設定する水位設定スイッチＳｗ５、浴槽１０に追加で湯張り給湯する足し湯スイッチＳｗ６、追焚き運転指令をする追焚きスイッチＳｗ７、設定温度等の各種情報を表示する表示部８１、暖房運転の開始を指令する暖房運転スイッチＳｗ８、及び湯張りが終了したこと等を報知する報知装置８２等が設けられている。
【００２７】
尚、ここで、追焚き運転、低温暖房運転、高温暖房運転、及びそれらを並列に実行する並列運転に関し、熱媒循環回路側の制御について説明を加える。
〔追焚き運転〕
運転制御部Ｃは、追焚きスイッチＳｗ７がＯＮされ、追焚き運転、低温暖房運転、及び高温暖房運転のうち、追焚き運転のみを実行する場合、所定の温度（例えば、８０℃）の熱媒を所定の流量で追焚き熱交換器ＥＸ５へ通流させるべく、熱媒循環ポンプＰ２を作動させ、熱媒加熱部Ｈ２を作動状態にし、追焚き用熱動弁Ｖ８を所定の開度に制御する。
このとき、運転制御部Ｃは、高温暖房用熱動弁Ｖ１０、低温暖房用熱動弁Ｖ１３、及びバイパス用熱動弁Ｖ１２を全閉とする。
【００２８】
〔高温暖房運転〕
運転制御部Ｃは、暖房運転スイッチＳｗ８がＯＮされ、追焚き運転、低温暖房運転、及び高温暖房運転のうち、高温暖房運転のみを実行する場合、所定の温度（例えば、８０℃）の熱媒を所定の流量で高温暖房端末ＨＵへ通流させるべく、熱媒循環ポンプＰ２を作動させ、熱媒加熱部Ｈ２を作動状態にし、高温暖房用熱動弁Ｖ１０を所定の開度に制御する。
このとき、運転制御部Ｃは、追焚き用熱動弁Ｖ８、低温暖房用熱動弁Ｖ１３、及びバイパス用熱動弁Ｖ１２を全閉とする。
〔低温暖房運転〕
運転制御部Ｃは、暖房運転スイッチＳｗ８がＯＮされ、追焚き運転、低温暖房運転、及び高温暖房運転のうち、低温暖房運転のみを実行する場合、所定の温度（例えば、６０℃）の熱媒を所定の流量で低温暖房端末ＬＵへ通流させるべく、熱媒循環ポンプＰ２を作動させ、熱媒加熱部Ｈ２を作動状態にし、低温暖房用熱動弁Ｖ１３を所定の開度に制御すると共に、バイパス用熱動弁Ｖ１２を所定の開度に制御する。
このとき、運転制御部Ｃは、追焚き用熱動弁Ｖ８、高温暖房用熱動弁Ｖ１０を全閉とする。
〔並列運転〕
運転制御部Ｃは、上述したように、追焚き運転、低温暖房運転、高温暖房運転の夫々を独立で実行する際には、熱媒循環回路に設けられる各熱動弁を上述の如く制御するのであるが、比較的高温の熱媒が必要であると共に熱が不足した場合に使用者の使用感が直接的に損なわれる虞のある追焚き運転及び高温暖房運転の少なくとも何れか一方と、低温暖房運転とが並列に実行される場合、追焚き運転と高温暖房運転のうち実行状態にある運転の熱量を不足させない状態で低温暖房運転をも実行すべく、以下の如く、各熱動弁の制御を実行する。ここで、並列運転に係る制御は、上述の追焚き運転、低温暖房運転、及び高温暖房運転に係る制御と並列（同時）に実行されるものとし、個別の制御よりも、当該並列運転に係る制御が優先的に実行されるものとする。
尚、以下の説明では、理解を容易にすべく、運転制御部Ｃによる各熱動弁の制御を中心に説明する。
【００２９】
運転制御部Ｃは、追焚きスイッチＳｗ７、低温暖房運転及び高温暖房運転に係る暖房運転スイッチＳｗ８の何れかがＯＮされている場合、図２に示す並列運転に係る制御を実行し続ける。
運転制御部Ｃは、高温暖房に係る暖房運転スイッチＳｗ８がＯＮしている場合（♯０１）、高温暖房用熱動弁Ｖ１０を所定の開度に制御する（♯０２）。一方、高温暖房に係る暖房運転スイッチＳｗ８がＯＮしていない場合（♯０１）、それ以降の♯０２〜♯０６のステップは実行しない。
【００３０】
運転制御部Ｃは、低温暖房に係る暖房運転スイッチＳｗ８がＯＮしている場合（♯０３）、低温暖房用熱動弁Ｖ１３を所定の開度に制御する（♯０４）。更に、運転制御部Ｃは、低温暖房運転よりも優先度の高い高温暖房運転への熱供給の不足を防止するべく、高温暖房端末ＨＵに設けられ高温暖房端末ＨＵの出口の熱媒温度を検出する高温暖房入サーミスタ（図示せず）の検出温度と、予め定められ記憶部（図示せず）に記憶されている所定の第１判定閾値（例えば、５５℃）との温度差が大きいほど（所定の第１判定閾値に比べて高温暖房入サーミスタの検出温度が低いほど）、バイパス用熱動弁Ｖ１２の開度を低下側へ制御する（♯０５）。
一方、運転制御部Ｃは、低温暖房に係る暖房運転スイッチＳｗ８がＯＮしていない場合（♯０３）、バイパス用熱動弁Ｖ１２の開度を零へ制御する（♯０６）。
【００３１】
更に、運転制御部Ｃは、これら♯０１〜♯０６の制御に並列して、以下の♯０７〜♯１２の制御を実行する。
運転制御部Ｃは、追焚きスイッチＳｗ７がＯＮしている場合（♯０７）、追焚き用熱動弁Ｖ８を所定の開度に制御する（♯０７）。一方、追焚きスイッチＳｗ７がＯＮしていない場合（♯０７）、それ以降の♯０８〜♯１２のステップは実行しない。
【００３２】
運転制御部Ｃは、低温暖房に係る暖房運転スイッチＳｗ８がＯＮしている場合（♯０９）、低温暖房用熱動弁Ｖ１３を所定の開度に制御する（♯１０）。更に、運転制御部Ｃは、低温暖房運転よりも優先度の高い追焚き運転への熱供給の不足を防止するべく、追焚き熱交換器ＥＸ５に設けられ追焚き熱交換器ＥＸ５の出口の熱媒温度を検出する第２熱媒サーミスタＳ１１の検出温度と、予め定められ記憶部（図示せず）に記憶されている所定の第３判定閾値との温度差が大きいほど（所定の第３判定閾値に比べて第２熱媒サーミスタＳ１１の検出温度が低いほど）、バイパス用熱動弁Ｖ１２の開度を低下側へ制御する（♯１１）。
一方、運転制御部Ｃは、低温暖房に係る暖房運転スイッチＳｗ８がＯＮしていない場合（♯０９）、バイパス用熱動弁Ｖ１２の開度を零へ制御する（♯１２）。
【００３３】
運転制御部Ｃは、上述した♯０１〜♯１２のステップを、追焚きスイッチＳｗ７、低温暖房運転及び高温暖房運転に係る暖房運転スイッチＳｗ８のすべてがＯＦＦになるまで、繰り返し実行する（♯１３）。
以上の如く、運転制御部Ｃ及びバイパス用熱動弁Ｖ１２がバイパス流量調整手段として機能する。
【００３４】
〔別実施形態〕
（１）上記実施形態では、図２に示す並列運転の♯０５の制御において、運転制御部Ｃは、高温暖房運転に係る高温暖房端末ＨＵでの熱供給が不足しているか否かの判定を、高温暖房端末ＨＵの出口の温度に基づいて実行したが、別に、当該高温暖房端末ＨＵでの単位時間当たりの供給熱量に基づいて、当該制御を実行しても構わない。
【００３５】
（２）上記実施形態では、図２に示す並列運転の♯１１の制御において、運転制御部Ｃは、追焚き運転に係る追焚き熱交換器ＥＸ５での熱供給が不足しているか否かの判定を、追焚き熱交換器ＥＸ５の出口の温度に基づいて実行したが、別に、当該追焚き熱交換器ＥＸ５での単位時間当たりの供給熱量に基づいて、当該制御を実行しても構わない。
【００３６】
（３）上記実施形態では、バイパス流量調整手段として、運転制御部Ｃが、熱媒バイパス路Ｌ９に設けられるバイパス用熱動弁Ｖ１２の開度を制御する構成例を示した。
しかしながら、熱媒バイパス路Ｌ９にバイパス用熱動弁Ｖ１２を設けず、運転制御部Ｃが、直接、低温暖房用熱動弁Ｖ１３と高温暖房用熱動弁Ｖ１０と追焚き用熱動弁Ｖ８との弁開度を制御する形態で、バイパス流量を調整する構成を採用しても構わない。
【００３７】
（４）上記実施形態において、「所定の第１判定閾値」は、一の値として、予め決定され記憶部（図示せず）に記憶されるものとしたが、当該「所定の第１判定閾値」は、一の値に固定されず、高温暖房としての浴室暖房乾燥機にて設定される目標設定温度に応じて可変の値に設定しておいても良い。この場合、目標設定温度が高いほど高い「所定の第１判定閾値」を設定可能に構成することが好ましい。
【００３８】
（５）上記実施形態では、図２に示す並列運転に係る制御フローの♯０５のステップにおいて、運転制御部Ｃは、低温暖房運転よりも優先度の高い高温暖房運転への熱供給の不足を防止するべく、高温暖房端末ＨＵに設けられ高温暖房端末ＨＵの出口の熱媒温度を検出する高温暖房用入サーミスタの検出温度と所定の第１判定閾値との温度差が大きいほど（所定の第１判定閾値に比べて高温暖房入サーミスタの検出温度が低いほど）、バイパス用熱動弁Ｖ１２の開度を低下側へ制御する例を示した。
しかしながら、当該♯０５のステップの制御において、運転制御部Ｃは、例えば、高温暖房端末ＨＵに設けられ高温暖房端末ＨＵの入口の熱媒温度を検出する高温暖房出サーミスタ（図示せず）の検出温度と所定の第２判定閾値（例えば、７０℃）との温度差が大きいほど（所定の第２判定閾値に比べて高温暖房出サーミスタの検出温度が低いほど）、バイパス用熱動弁Ｖ１２の開度を低下側へ制御するように構成しても構わない。ただし、当該制御にあっては、高温暖房運転開始直後から所定時間（例えば、３分）経過した後に、実行することが好ましい。
【００３９】
（６）上記実施形態では、図２に示す並列運転に係る制御フローの♯１１のステップにおいて、運転制御部Ｃは、低温暖房運転よりも優先度の高い追焚き運転への熱供給の不足を防止するべく、追焚き熱交換器ＥＸ５に設けられ追焚き熱交換器ＥＸ５の出口の熱媒温度を検出する第２熱媒サーミスタＳ１１の検出温度と、予め定められ記憶部（図示せず）に記憶されている所定の第３判定閾値との温度差が大きいほど（所定の第３判定閾値に比べて第２熱媒サーミスタＳ１１の検出温度が低いほど）、バイパス用熱動弁Ｖ１２の開度を低下側へ制御する例を示した。
しかしながら、当該♯１１のステップの制御において、運転制御部Ｃは、例えば、追焚き熱交換器ＥＸ５に設けられ追焚き熱交換器ＥＸ５の入口の熱媒温度を検出する第１熱媒サーミスタＳ３の検出温度と、予め定められ記憶部（図示せず）に記憶されている所定の第４判定閾値（例えば、７０℃）との温度差が大きいほど（所定の第４判定閾値に比べて第１熱媒サーミスタＳ３の検出温度が低いほど）、バイパス用熱動弁Ｖ１２の開度を低下側へ制御するように構成しても構わない。ただし、当該制御にあっては、追焚き運転開始直後から所定時間（例えば、３分）経過した後に、実行することが好ましい。
【００４２】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４３】
本発明の風呂装置は、高温暖房運転と追焚き運転と低温暖房運転とを優先関係に基づいてバイパス流量調整手段を積極的に制御することで、使用者の使用感を向上することができる風呂装置として、有効に利用可能である。
【符号の説明】
【００４４】
１０      ：浴槽
Ｃ        ：運転制御部
Ｃ１      ：追焚き回路
Ｃ２      ：高温暖房回路
Ｃ３      ：低温暖房回路
ＥＸ５    ：追焚き熱交換器
Ｈ２      ：熱媒加熱部
ＨＵ      ：高温暖房端末
Ｓ１１    ：第２熱媒サーミスタ
Ｖ１２    ：バイパス用熱動弁
【図１】
0006468785.tif 000002
【図２】
0006468785.tif 000003
【図３】
0006468785.tif 000004